(57)【要約】【課題】空気調和機の本体に内蔵されたフィルタ清掃部のブラシがフィルタの塵埃を清掃する構造とするとともに、清掃時に発生する静電気を放電させて、このフィルタに帯電する静電気を低減させるフィルタを備えた空気調和機を提供する。【解決手段】実験の結果、図３（Ｅ）からは３種類の添加剤の中で帯電防止剤が最も効果的であり、さらに、帯電防止剤の添加量が５％〜１０％の範囲でほぼ１ＫＶ程度となり、実用上問題なく使用できるレベルであることが確認できる。従ってこのフィルタに帯電する静電気を低減させるためには、ポリプロピレンを主材料とするフィルタに帯電防止剤を重量パーセントで５％〜１０％の範囲で添加する。【選択図】  図３
2004270982.tif 000002
【特許請求の範囲】
【請求項１】
本体の前面上部に設けられた吸込口と、前面下部に設けられた吹出口とを結ぶ空気通路に、除塵用のフィルタと、熱交換器と、送風ファンとを夫々配置してなる空気調和機において、
前記本体内に、前記フィルタを本体の内外に向けて往復的に移動させるスライド手段と、前記フィルタの移動経路に沿って前記フィルタと接触するように配置され、前記フィルタの表面を清掃するナイロン製のブラシを内部に備えたフィルタ清掃装置とを設け、
前記フィルタは、ポリプロピレンに所定比率の帯電防止剤が添加されて形成されてなることを特徴とする空気調和機。
【請求項２】
前記所定比率は、帯電防止剤が５乃至１０重量パーセントであることを特徴とする請求項１に記載の空気調和機。
【発明の詳細な説明】
【０００１】
【発明の属する技術分野】
本発明は、空気調和機に係わり、より詳細には本体に内蔵されたフィルタ清掃部に備えられたブラシがフィルタの塵埃を清掃する構造において、このフィルタに帯電する静電気を低減させるためのフィルタの材料に関する。
【０００２】
【従来の技術】
従来の空気調和機は、例えば本体の前面から上面にかけて設けられた吸込口と本体の下部に設けられた吹出口とを結ぶ空気通路に、フィルタと熱交換器と送風機とフィルタ清掃装置を備えた空気調和機において、フィルタを本体筐体の吸込口の内側に沿って回動させる回動手段と、フィルタ上のごみを除去するごみ除去手段とごみ収納部とから構成されるフィルタ清掃装置を備え、複雑に折れ曲がったフィルタ上のごみを自動的に清掃する機能付きの空気調和機がある（例えば、特許文献１参照。）。
【０００３】
また、特願２００２−１８７７０８に記載されているように、本体内に、フィルタを本体の内外に向けて往復的に移動させるスライド手段と、フィルタの移動経路に沿ってフィルタと接触するように配置されたフィルタ清掃部を設けた構造としたものがある。そしてこのフィルタ清掃部は、フィルタの一方の面を清掃するする第１清掃ブラシを有するボトムカバーと、同ボトムカバーに開閉可能に取付られ、フィルタの他方の面を清掃する第２清掃ブラシを有するトップカバーとを備え、ボトムカバーにごみ収納部を設けた構成となっている。
【０００４】
しかしながら、いずれの従来例においても、フィルタ上に溜まった塵埃をブラシなどで掻き出して除去する構造であり、ブラシとフィルタとの摩擦により静電気が発生し、この静電気がフィルタに帯電することにより、一旦除去した塵埃が再度フィルタに吸着されるという問題があった。
【０００５】
【特許文献１】
特開２００２−５５０４号公報（第１頁、第１図）
【０００６】
【発明が解決しようとする課題】
本発明は以上述べた問題点を解決し、空気調和機の本体に内蔵されたフィルタ清掃部のブラシがフィルタの塵埃を清掃する構造とするとともに、清掃時に発生する静電気を放電させて、このフィルタに帯電する静電気を低減させるフィルタを備えた空気調和機を提供する。
【０００７】
【課題を解決するための手段】
本発明は、上記問題点を解決するため、本体の前面上部に設けられた吸込口と、前面下部に設けられた吹出口とを結ぶ空気通路に、除塵用のフィルタと、熱交換器と、送風ファンとを夫々配置してなる空気調和機において、
前記本体内に、前記フィルタを本体の内外に向けて往復的に移動させるスライド手段と、前記フィルタの移動経路に沿って前記フィルタと接触するように配置され、前記フィルタの表面を清掃するナイロン製のブラシを内部に備えたフィルタ清掃装置とを設け、
前記フィルタは、ポリプロピレンに所定比率の帯電防止剤が添加されて形成されてなる構造とする。
【０００８】
また、前記所定比率は、帯電防止剤が５乃至１０重量パーセントとなるようににする。
【０００９】
【発明の実施の形態】
以下、本発明の実施の形態を、添付図面に基づいた実施例として説明する。図１は、空気調和機の一実施例を示す縦断面図で、図２は、本発明によるフィルタの一実施例を示す斜視図である。
図１において、１は空気調和機の本体、２は本体１の前面から上面かけて形成された吸込口、３は本体１の下部に形成された吹出口である。吸込口２と吹出口３を結ぶ空気通路４には、空気中の粗ごみを取り除くフィルタ５と送風機６、熱交換器７が配置されている。熱交換器７は、ドレンパン８の上部に配置された略垂直部７ａと、その後方から傾斜させた傾斜部７ｂとより形成されている。
【００１０】
９はベースで、同ベース９の上端側には上面パネル１０が取り付けられ、下端側には前面パネル１１が取り付けられている。同前面パネル１１はベース９の両側板を覆うように形成された左右一対の側板を含み、ベース９に着脱可能に固定されている。前面パネル１１の前面には、フィルタ５が本体１外に引出される際に開閉される開閉パネル１２が一体的に設けられている。
【００１１】
開閉パネル１２は、上端側を中心に回転可能に軸支されており、フィルタ５の往方向移動時には、他端側がフィルタ５によって持ち上げられ、フィルタ５が本体１外に引出される。
フィルタ５は、上面パネル１０の吸込口２と熱交換器７との間に設けられ、熱交換器７に向かう空気中に含まれるごみを除去する。
１３はフィルタ５に付着したごみを清掃するためのフィルタ清掃装置である。
【００１２】
フィルタ清掃装置１３は、ボトムカバー１７と、トップカバー１９とからなる集塵ボックス１３ａ  を設け、フィルタ５を本体の内外に向けて往復的に移動させるスライド手段１４（駆動モータ）と、フィルタの一方の面（上面）のごみを除去する第１清掃ブラシ１５を有するとともに、除去されたごみを収納するごみ収納部１６を備えたボトムカバー１７と、フィルタの他方の面（下面）のごみを除去する第２清掃ブラシ１８を有するトップカバー１９とから構成されている。
【００１３】
図２は本願の空気調和機に使用するフィルタの斜視図であり、図２（Ａ）は前面から見た状態、図２（Ｂ）は背面側から見た状態を表している。
フィルタ５は、所定の幅を持って枠状に形成されたフレーム５１と、同フレーム５１に囲まれ、網目が規則的に形成されたフィルタ部５２とを備えている。また、フィルタ５は、両端面に往方向と復方向とに摺動するときのガイドとなるレール部５４とスライド手段１４で摺動させるためのラック部５３とが備えられている。そして、フレーム５１及びフィルタ部５２は、合成樹脂の一体成形品で製作されている。
【００１４】
フィルタ５は、例えばポリプロピレンなどのベース樹脂からなるが、このベース樹脂に帯電を防止するための添加剤を所定比率で加えたことが本願の特徴である。この添加剤は従来例で述べたように、ナイロン製の第１清掃ブラシ１５や直立ブラシ１５ａ  、第２清掃ブラシ１８などとフィルタ５とが摺動した時に発生する静電気が、フィルタ５に帯電しにくくするためのものである。
【００１５】
このため、本出願人は、このナイロン製の各ブラシと、ポリプロピレンのベース樹脂との関係において、フィルタ５に添付する添加剤の種類と、その配合割合について最適な選択を行なうために以下の実験を行なった。なお、添加剤はベース樹脂に大量に添加すると色や特性に悪影響をおよぼし、またコスト上昇を招くため、添加の割合はできるだけ少なく、かつ、十分な静電気防止効果が得られる材質と、その添加割合を決定する必要がある。
【００１６】
実験は図２のフィルタ５の表面をナイロンの生地で５往復させ、フィルタの実験開始前の初期の帯電圧と実験後の帯電圧とを比較する方法とした。また、実験のバラツキを考慮し、一種類の実験で各３回測定し、その電圧差の絶対値の平均電圧を比較することにより、効果の有無を判断した。なお、ベース樹脂はポリプロピレンとし、添加剤として帯電防止剤、導電性カーボン、導電性セラミックをそれぞれ単独で用いた場合を、ポリプロピレンに対する重量当たりのパーセント（ｗｔ％：重量パーセント）で表した添加量ごとに分けて実験を行なった。
【００１７】
図３はこの測定結果を表しており、（Ａ）はベース樹脂をポリプロピレンのみとした場合、（Ｂ）は高分子タイプの帯電防止剤を添加した場合、（Ｃ）は導電性カーボンを添加した場合、（Ｄ）は導電性セラミックを添加した場合、（Ｅ）は以上のデータを折れ線グラフとしたものをそれぞれ示している。
また、図３において単位はキロボルトであり、「初期値」は実験前のフィルタの帯電圧を表しており、「試験後」はフィルタの表面をナイロンの生地で５往復させた後のフィルタの帯電圧を表している。さらに、「電位差」は「初期値」と「試験後」との絶対的な電位差を表しており、「平均値」はこの絶対的な電位差の３回の試験結果を平均した値である。
【００１８】
図３において、ベース樹脂をポリプロピレンのみとした場合、つまり、図３（Ａ）の場合は電位差が１４．２ＫＶ（キロボルト）であったものが、例えば添加量を２０％とした場合に、帯電防止剤では平均０．０３ＫＶ、導電性カーボンでは０．８０ＫＶ、導電性セラミックでは６．４７ＫＶの電圧低下が認められ、それぞれ効果があることが確認できた。
しかしながら、この３種類の中では導電性セラミックの効果が一番少ないため、これを除外して他の２種類について、添加量が１０％と５％との場合を検討した。
【００１９】
添加量が１０％の場合、帯電防止剤では平均０．０７ＫＶ、導電性カーボンでは１．７７ＫＶであり、帯電防止剤が導電性カーボンよりも１０倍以上も効果が高いことが判明した。
さらに、添加量が５％の場合、帯電防止剤では平均１．１３ＫＶ、導電性カーボンでは３．９７ＫＶであり、帯電防止剤が導電性カーボンよりも３倍以上も効果が高い。
【００２０】
図３（Ｅ）は図３（Ａ）から図３（Ｄ）までをグラフとしたものであり、縦軸が平均電位差（ＫＶ）、横軸が添加量（ｗｔ％）を表している。この図からは３種類の添加剤の中で帯電防止剤が最も効果的であり、さらに、帯電防止剤の添加量が５％〜１０％の範囲でほぼ１ＫＶ程度となり、実用上問題なく使用できるレベルであることが確認できる。また、帯電防止剤の添加量が１０％以上では、ほぼ、その効果が飽和している。
従ってこのフィルタに帯電する静電気を低減させるためには、ポリプロピレンを主材料とするフィルタに帯電防止剤を重量パーセントで５％〜１０％の範囲で添加すればよい。これにより、帯電防止剤の添加割合が少なくても実用的な帯電防止効果が得られ、フィルタ清掃装置内で一旦除去した塵埃が、再度フィルタに吸着されにくくすることができる。
【００２１】
【発明の効果】
以上説明したように、本発明による空気調和機によれば、請求項１に係わる発明は、本体内に、フィルタを本体の内外に向けて往復的に移動させるスライド手段と、フィルタの移動経路に沿ってフィルタと接触するように配置され、フィルタの表面を清掃するナイロン製のブラシを内部に備えたフィルタ清掃装置とを設けた構造とし、このフィルタをポリプロピレンに所定比率の帯電防止剤を添加して形成することにより、
フィルタに帯電する静電気を低減させて、フィルタ清掃装置内で一旦除去した塵埃が、再度フィルタに吸着されにくい空気調和機とすることができる。
【００２２】
また、請求項２に係わる発明は、前記所定比率を、帯電防止剤が５乃至１０重量パーセントとなるようにすることにより、帯電防止剤の添加量を削減させても十分な帯電防止効果を維持することができる。
【図面の簡単な説明】
【図１】本発明による空気調和機の一実施例を示す断面図である。
【図２】本発明によるフィルタの形状を示す斜視図である。
【図３】測定結果データを示す表であり、（Ａ）はベース樹脂をポリプロピレンのみとした場合、（Ｂ）は高分子タイプの帯電防止剤を添加した場合、（Ｃ）は導電性カーボンを添加した場合、（Ｄ）は導電性セラミックを添加した場合、（Ｅ）は以上のデータを折れ線グラフとしたものをそれぞれ示している。
【符号の説明】
１  本体
２  吸込口
３  吹出口
４  空気通路
５  フィルタ
５１  フレーム
５２  フィルタ部
５３  ラック部
５４  レール部
６  送風ファン
７  熱交換器
８  ドレンパン
９  ベース
１０  上面パネル
１１  前面パネル
１２  開閉パネル
１３  フィルタ清掃装置
１３ａ  集塵ボックス
１４  スライド手段（駆動モ─タ）
１５  第１清掃ブラシ
１５ａ  直立ブラシ
１６  ごみ収納部
１７  ボトムカバー
１８  第２清掃ブラシ
１８ａ  傾斜ブラシ
１８ｂ  保持棒
【図１】
2004270982.tif 000003
【図２】
2004270982.tif 000004
【図３】
2004270982.tif 000005